(57)【要約】      （修正有）【課題】クリーンルームの消毒または燻蒸作業において、フィルタユニットの空気吹出口を覆うためのビニールの取り付けを完全かつ容易に行なうことのできるフィルタユニットを提供する。【解決手段】上部側壁に空気流入口３を、下端面に空気吹出口を形成したケーシング２と、高性能フィルタ１０とからなるフィルタユニットにおいて、ケーシング２の側壁に天井面１３に当てた鍔状の受板１２を一体に設け、ケーシング先端部１４を形成すると共に、鍔状の受板１２に接するまでケーシング２の周囲を取り囲むにように形成した筒板１６と、一端は蝶番を介して多孔板１９の一側面と連結し、他端は側面を取外し自在に取付けた多孔板取付枠１７とを固定することにより、シートの取付けを簡単容易にしかもシールを確実に行なえるようにしたフィルタユニットを提供する。【選択図】図２
2006297359.tif 000002
【特許請求の範囲】
【請求項１】
空気流入口と空気吹出口とを形成し且つクリーンルームの天井開口面に設置したケーシングと、ケーシング内部に収納したフィルタとからなるフィルタユニットにおいて、ケーシング側壁に天井面に当てた鍔状の受板を設け、ケーシング先端部には筒板と多孔板取付枠とを取付けて、筒板はケーシング周囲を取り囲むように鍔状の受板に接するまで形成し、多孔板取付枠は一端を多孔板の一側面を蝶番を介して連結し、他端を前記一側面に対向する多孔板の他側面を取付け取外し自在にしたことを特徴とするフィルタユニット。
【請求項２】
鍔状の受板と天井面および筒板との接触部に、シール材で気密に保持したことを特徴とする請求項１記載のフィルタユニット。
【請求項３】
筒板に通気性のないシートをテープで取付けられ易くしたことを特徴とする請求項１記載のフィルタユニット。
【発明の詳細な説明】
【技術分野】
【０００１】  本発明は、バイオ研究室、製薬工場、食品工場や医療施設などのクリーンルームの天井開口部にフィルタユニットを設置し、フィルタユニットの空気流入口より空気を取入れ、フィルタユニットに収納したフィルタで濾過して清浄空気として空気吹出口より吹出すようにしたフィルタユニットに関するものである。
【背景技術】
【０００２】  従来、バイオ研究室、製薬工場、食品工場や医療施設などのクリーンルームにおいては、空調運転を停止して、消毒または燻蒸処理が行なわれる作業場があり、この作業場での消毒または燻蒸処理は、アルコールまたは燻蒸ガスなどを一定時間充満して行なわれている。その際、充満したアルコールまたは燻蒸ガスなどが、図６に示すように、フィルタユニット１０１の多孔板１０６を通過してフィルタ１０２を経由して逆に空気流入口１０３より外部へ漏洩しないように、天井開口面１０４に設置されたフィルタユニット１０１のフランジ１０５に取付けた多孔板１０６をシート１０７で覆っていた。【０００３】  しかし、天井開口面１０４とフランジ１０５とのスペースが狭い上この種のクリーンルームは床面から天井面までの高さが高く、高い足場に乗って行なうため、テープなどでシートを止める取付け作業にかなりの手間を要し、取付け作業を遂行し難く、その分完全なシールを行なうことが難しかった。
さらに一般的には多孔板１０６はフランジ１０５にボルト１０８で取付けられているので着脱する際には、多孔板１０６の重さと大きさのため、その取り扱いは容易でない問題があった。
【発明の開示】
【発明が解決しょうとする課題】
【０００４】  そこで、本発明は天井開口面に設置されたフィルタユニットの空気吹出口にシートを簡単容易に取付け出来、しかもシールを確実に行ない得るようにすると共に、多孔板を片開き自在に取付けて多孔板の取付け取外しを容易にしたフィルタユニットを提供することを目的としたものである。
【課題を解決するための手段】
【０００５】  本発明の解決手段は上部側壁に空気流入口を、下端面に空気吹出口を形成したケーシングと、空気流入口と空気吹出口とを仕切るようにケーシング内部に取付けた高性能フィルタとからなるフィルタユニットにおいて、ケーシングの側壁に天井面に当てた鍔状の受板を一体に設けて、天井面より延出するケーシング先端部を形成し、このケーシング先端部に、鍔状の受板に接するまでケーシングの周囲を取り囲むにように形成した筒板と、一端は蝶番を介して多孔板の一側面と連結し、他端は多孔板の対向する側面を取外し自在に取付けた多孔板取付枠とを取付けると共に、鍔状の受板と天井面および筒板との接触部にシール材で気密に保持したものである。
【０００６】  上記のケーシング側壁に設けた鍔状の受板は天井面に当てるようになっているが、かならずしも当たらなくてもよい。
【０００７】  次に、天井面より延出するケーシング先端部の寸法は鍔状の受板により確定される寸法であるが、数値に限定されるものではなく、容易にシートの取付け作業が行なえる寸法であればよい。
【０００８】  さらに、ケーシング先端部に取付ける筒板と多孔板取付枠は一体に形成しても良く、それぞれ別体のものにしても良い。
【０００９】  また、上記課題解決手段による作用は次の通りである。すなはち、ケーシングの上部側壁に形成された空気流入口にはダクトが接続されており、図示しない空調装置から取り入れられた空気が前記ダクトから空気流入口を介してケーシング内に供給される。そして、供給された空気は高性能フィルタを通過して濾過された後、ケーシング下端面の空気吹出口に取付けられた多孔板で拡散されながらクリンルーム内に吹き出される。
【００１０】  そして、バイオ研究室、製薬工場、食品工場や医療施設などのクリーンルームにおいては、クリンルーム内を常時無菌に維持しておかねばならないため定期的に消毒または燻蒸処理が行なわれる。
【００１１】  そのため、消毒または燻蒸処理に当たってはまず、空調装置を停止し空気の流れを止める。次にクリンルーム内で発生するアルコールまたは燻蒸ガスが高性能フィルタを介して外部に漏れないように非通気性のシートをケーシング下端面空気吹出口全面にわたって覆い、ビニールテープなどのテープで空気漏れのないようにして筒板に止めるようにしたものである。
【発明の効果】
【００１２】  上述したように本発明のフィルタユニットは次のような効果が得られる。
（１）天井面よりケーシング先端部を所定寸法延ばしたので、シートの取付け作業が容易な上、確実にシールすることができる。
（２）ケーシングの側壁に取付けた筒板にシートをテープで巻きつけるだけで済むので操作簡単で且つ確実である。
（３）多孔板の一側面を蝶番に、対向する側面を片開き自在に取付けるようにしたので、フィルタ交換作業時などで、高い足場に乗って行なう場合でも一人で作業が出来る上、確実に実施することができるものである。
【発明を実施するための最良の形態】
【００１３】  以下、本発明の実施形態に係るフィルタユニットを添付図１〜５に基づいて説明する。
（実施形態）
クリンルームの天井開口面１に、吊りボルトで吊り下げられた角筒形状をなすケーシング２が設置されている。ケーシング２の上部側壁に空気を取り入れる空気流入口３が形成され、ケーシング２の下端面には空気を吹き出す空気吹出口４が形成されている。また、ケーシング２の内側にはシール板５が固定され、その下方には支持金具６が固定されている。支持金具６にはフィルタ固定用ボルト７が固定されている。フィルタ固定用ボルト７には平らな金属板からなる押え金具８が嵌合し、さらにその下部にナット９が螺着して取付けられている。これにより濾材折り込み形の高性能エアフィルタ１０のガスケット１１を前記シール板５に押さえ付けながら、ナット９を締付けることにより押え金具８が上昇して、シール板５とガスケット１１とをそれぞれしっかり密着させている。これにより十分な気密性を保持して高性能エアフィルタ１０からクリンルーム内に清浄な空気を供給できるようになっている。【００１４】  ケーシング２の側壁には鍔状の受板１２が固定され、この鍔状の受板１２が天井面１３に当たるようになっている。そして鍔状の受板１２から先のケーシング先端部１４は天井面１３より延びている。さらにケーシング先端部１４は内方Ｌ型に折れた鍔部１５が形成されている。前記鍔部１５には筒板１６と多孔板取付枠１７が固定されている。筒板１６はケーシング２の側壁を取り囲むように鍔状の受板１２に接するまで延びている。前記多孔板取付枠１７の一端には蝶番１８が取付けられている。そしてこの蝶番１８には多孔板１９の一側面が固定されている。一方、多孔板１９の対向する側面は化粧ビス２０で多孔板取付枠１７に取り外し自在に取付けられている。【００１５】  天井面１３と鍔状の受板１２および筒板１６との接触部にはシール材２１が充填され、シール材２１で気密に維持されると共に接触部が確実に保持されるようになっている。【００１６】  図５は筒板１６に通気性のないシート２２をテープ２３で取付けた状態を示すものである。【００１７】  尚、本実施例では、本発明の一実施例を示したもので、これに限定されることなく、種々変更しても何ら本発明の要旨を変更するものではない。
【産業上の利用可能性】
【００１８】  本発明はクリーンルームにおいて、消毒または燻蒸作業を行う際、天井面１３より延びた筒板１６に通気性のないシート２２をテープ２３で取付ければ良い上、高性能エアフィルタ１０の取付けの際には、多孔板１９を一側面は蝶番に、対向する他側面は多孔板取付枠に取付け取外し自在に取付けたので、多孔板１９は片開きで操作出来、特に研究所や工場などのクリーンルームなどのように床面から天井板までの高さが高いところの作業でも適したものである。
【図面の簡単な説明】
【００１９】
【図１】本発明の実施例を示すフィルタユニットの側面図である。
【図２】図１のＡ−Ａ’縦断面図である。
【図３】図２のＢ−Ｂ’縦断面図である。
【図４】図１に示す多孔板が開いた状態を示す図である。
【図５】図１に示すフィルタユニットに通気性のないシートをテープで取付けた状態を示す図である。
【図６】従来のフィルタユニットを示す概略図である。
【符号の説明】
【００２０】１・・・天井開口面        ２・・・ケーシング        ３・・・空気流入口
４・・・空気吹出口    １２・・・鍔状の受板  １４・・・ケーシング先端部
１６・・・筒板        １７・・・多孔板取付枠          １８・・・蝶番
１９・・・多孔板      ２１・・・シール材
【図１】
2006297359.tif 000003
【図２】
2006297359.tif 000004
【図３】
2006297359.tif 000005
【図４】
2006297359.tif 000006
【図５】
2006297359.tif 000007
【図６】
2006297359.tif 000008